【手続補正書】
【提出日】平成22年9月27日(2010.9.27)
【手続補正１】
【補正対象書類名】特許請求の範囲
【補正対象項目名】全文
【補正方法】変更
【補正の内容】
【特許請求の範囲】
【請求項１】
複数の製品の在庫予定数を管理する情報処理装置であって、
所定の製品群に含まれる品質の異なる複数の製品それぞれの在庫予定数を記憶する第１の記憶手段と、
前記複数の製品のうち、第１の製品を生産すべく製品の生産を行う際に、前記第１の製品、及び、前記第１の製品とは品質が異なる他の製品が生産される数の割合を示す第１のテーブル情報を記憶する第２の記憶手段と、
前記第１の製品の生産予定数の入力を受け付ける第１の受付手段と、
前記第２の記憶手段に記憶されている第１のテーブル情報と、前記第１の受付手段で受け付けた前記第１の製品の生産予定数とに従って、前記第１の製品に伴い生産される前記他の製品の生産予定数を算出する算出手段と、
前記第１の記憶手段に記憶されている前記第１の製品及び前記他の製品の在庫予定数を更新する更新手段と、を備え、
前記更新手段は、前記第１の受付手段で受け付けた前記第１の製品の生産予定数、及び、前記算出手段で算出された前記他の製品の生産予定数に従って、前記第１の製品及び前記他の製品の在庫予定数を更新すること、
を特徴とする情報処理装置。
【請求項２】
前記所定の製品群に含まれる複数の製品の出荷先となる顧客と、前記所定の製品群に含まれる製品のうち、当該顧客における代表製品であるかを示す代表製品情報、及び当該顧客から代表製品の受注を受けた際に、前記製品群に含まれる他の製品を出荷可能であるかを示す転用情報を記憶する第３の記憶手段と、
前記顧客からの代表製品の受注数量の入力を受け付ける第２の受付手段と、
前記第３の記憶手段に記憶されている転用情報及び前記第２の受付手段で受け付けた受注数量に従って、前記代表製品の出荷予定数及び他の製品の出庫予定数を決定する決定手段と、を更に備え、
前記更新手段は、更に、前記決定手段で決定された出庫予定数に従って、前記代表製品及び前記他の製品の在庫予定数を更新すること
を特徴とする請求項１に記載の情報処理装置。
【請求項３】
前記転用情報に従い、他の製品の出荷が可能であるかを判定する判定手段、を更に備え、
前記決定手段は、前記判定手段で他の製品の出荷が可能であると判定した場合に、前記代表製品の不足分を前記他の製品で補うよう前記代表製品の出荷予定数及び他の製品の出庫予定数を決定すること
を特徴とする請求項２に記載の情報処理装置。
【請求項４】
前記第１の記憶手段が記憶している品質の異なる複数の製品それぞれの在庫予定数を時系列に表示する表示手段を更に備えることを特徴とする請求項１乃至３のいずれか１項に記載の情報処理装置。
【請求項５】
前記第１の記憶手段は、前記品質の異なる複数の製品それぞれの在庫予定数を日毎に記憶すること
を特徴とする請求項１乃至４のいずれか１項に記載の情報処理装置。
【請求項６】
所定の製品群に含まれる品質の異なる複数の製品それぞれの在庫予定数を記憶する第１の記憶手段と、前記複数の製品のうち、第１の製品を生産すべく製品の生産を行う際に、前記第１の製品、及び、前記第１の製品とは品質が異なる他の製品が生産される数の割合を示す第１のテーブル情報を記憶する第２の記憶手段と、を備え、前記複数の製品の在庫予定数を管理する情報処理装置によって行われる情報処理方法であって、
前記第１の製品の生産予定数の入力を受け付ける第１の受付工程と、
前記第２の記憶手段に記憶されている第１のテーブル情報と、前記第１の受付工程で受け付けた前記第１の製品の生産予定数とに従って、前記第１の製品に伴い生産される前記他の製品の生産予定数を算出する算出工程と、
前記第１の記憶手段に記憶されている前記第１の製品及び前記他の製品の在庫予定数を更新する更新工程と、を備え、
前記更新工程は、前記第１の受付工程で受け付けた前記第１の製品の生産予定数、及び、前記算出工程で算出された前記他の製品の生産予定数に従って、前記第１の製品及び前記他の製品の在庫予定数を更新すること、
を特徴とする情報処理方法。
【請求項７】
所定の製品群に含まれる品質の異なる複数の製品それぞれの在庫予定数を記憶する第１の記憶手段と、前記複数の製品のうち、第１の製品を生産すべく製品の生産を行う際に、前記第１の製品、及び、前記第１の製品とは品質が異なる他の製品が生産される数の割合を示す第１のテーブル情報を記憶する第２の記憶手段と、を備える複数の製品の在庫予定数を管理する情報処理装置を、
前記第１の製品の生産予定数の入力を受け付ける第１の受付手段と、
前記第２の記憶手段に記憶されている第１のテーブル情報と、前記第１の受付手段で受け付けた前記第１の製品の生産予定数とに従って、前記第１の製品に伴い生産される前記他の製品の生産予定数を算出する算出手段と、
前記第１の記憶手段に記憶されている前記第１の製品及び前記他の製品の在庫予定数を更新する更新手段として機能させ、
前記更新手段は、前記第１の受付手段で受け付けた前記第１の製品の生産予定数、及び、前記算出手段で算出された前記他の製品の生産予定数に従って、前記第１の製品及び前記他の製品の在庫予定数を更新すること、
を特徴とするコンピュータプログラム。
【手続補正２】
【補正対象書類名】明細書
【補正対象項目名】発明の名称
【補正方法】変更
【補正の内容】
【発明の名称】情報処理装置、情報処理方法、及びコンピュータプログラム
【手続補正３】
【補正対象書類名】明細書
【補正対象項目名】００１２
【補正方法】変更
【補正の内容】
【００１２】
本発明の情報処理装置は、複数の製品の在庫予定数を管理する情報処理装置であって、所定の製品群に含まれる品質の異なる複数の製品それぞれの在庫予定数を記憶する第１の記憶手段と、前記複数の製品のうち、第１の製品を生産すべく製品の生産を行う際に、前記第１の製品、及び、前記第１の製品とは品質が異なる他の製品が生産される数の割合を示す第１のテーブル情報を記憶する第２の記憶手段と、前記第１の製品の生産予定数の入力を受け付ける第１の受付手段と、前記第２の記憶手段に記憶されている第１のテーブル情報と、前記第１の受付手段で受け付けた前記第１の製品の生産予定数とに従って、前記第１の製品に伴い生産される前記他の製品の生産予定数を算出する算出手段と、前記第１の記憶手段に記憶されている前記第１の製品及び前記他の製品の在庫予定数を更新する更新手段と、を備え、前記更新手段は、前記第１の受付手段で受け付けた前記第１の製品の生産予定数、及び、前記算出手段で算出された前記他の製品の生産予定数に従って、前記第１の製品及び前記他の製品の在庫予定数を更新すること、を特徴とする。
【手続補正４】
【補正対象書類名】明細書
【補正対象項目名】００１３
【補正方法】変更
【補正の内容】
【００１３】
また、前記所定の製品群に含まれる複数の製品の出荷先となる顧客と、前記所定の製品群に含まれる製品のうち、当該顧客における代表製品であるかを示す代表製品情報、及び当該顧客から代表製品の受注を受けた際に、前記製品群に含まれる他の製品を出荷可能であるかを示す転用情報を記憶する第３の記憶手段と、前記顧客からの代表製品の受注数量の入力を受け付ける第２の受付手段と、前記第３の記憶手段に記憶されている転用情報及び前記第２の受付手段で受け付けた受注数量に従って、前記代表製品の出荷予定数及び他の製品の出庫予定数を決定する決定手段と、を更に備え、前記更新手段は、更に、前記決定手段で決定された出庫予定数に従って、前記代表製品及び前記他の製品の在庫予定数を更新することを特徴とする。
【手続補正５】
【補正対象書類名】明細書
【補正対象項目名】００１４
【補正方法】変更
【補正の内容】
【００１４】
また、前記転用情報に従い、他の製品の出荷が可能であるかを判定する判定手段、を更に備え、前記決定手段は、前記判定手段で他の製品の出荷が可能であると判定した場合に、前記代表製品の不足分を前記他の製品で補うよう前記代表製品の出荷予定数及び他の製品の出庫予定数を決定することを特徴とする。また、前記第１の記憶手段が記憶している品質の異なる複数の製品それぞれの在庫予定数を時系列に表示する表示手段を更に備えることを特徴とする。また、前記第１の記憶手段は、前記品質の異なる複数の製品それぞれの在庫予定数を日毎に記憶することを特徴とする。
【手続補正６】
【補正対象書類名】明細書
【補正対象項目名】００１５
【補正方法】変更
【補正の内容】
【００１５】
本発明の情報処理方法は、所定の製品群に含まれる品質の異なる複数の製品それぞれの在庫予定数を記憶する第１の記憶手段と、前記複数の製品のうち、第１の製品を生産すべく製品の生産を行う際に、前記第１の製品、及び、前記第１の製品とは品質が異なる他の製品が生産される数の割合を示す第１のテーブル情報を記憶する第２の記憶手段と、を備え、前記複数の製品の在庫予定数を管理する情報処理装置によって行われる情報処理方法であって、前記第１の製品の生産予定数の入力を受け付ける第１の受付工程と、前記第２の記憶手段に記憶されている第１のテーブル情報と、前記第１の受付工程で受け付けた前記第１の製品の生産予定数とに従って、前記第１の製品に伴い生産される前記他の製品の生産予定数を算出する算出工程と、前記第１の記憶手段に記憶されている前記第１の製品及び前記他の製品の在庫予定数を更新する更新工程と、を備え、前記更新工程は、前記第１の受付工程で受け付けた前記第１の製品の生産予定数、及び、前記算出工程で算出された前記他の製品の生産予定数に従って、前記第１の製品及び前記他の製品の在庫予定数を更新すること、を特徴とする。
【手続補正７】
【補正対象書類名】明細書
【補正対象項目名】００１６
【補正方法】変更
【補正の内容】
【００１６】
本発明のコンピュータプログラムは、所定の製品群に含まれる品質の異なる複数の製品それぞれの在庫予定数を記憶する第１の記憶手段と、前記複数の製品のうち、第１の製品を生産すべく製品の生産を行う際に、前記第１の製品、及び、前記第１の製品とは品質が異なる他の製品が生産される数の割合を示す第１のテーブル情報を記憶する第２の記憶手段と、を備える複数の製品の在庫予定数を管理する情報処理装置を、前記第１の製品の生産予定数の入力を受け付ける第１の受付手段と、前記第２の記憶手段に記憶されている第１のテーブル情報と、前記第１の受付手段で受け付けた前記第１の製品の生産予定数とに従って、前記第１の製品に伴い生産される前記他の製品の生産予定数を算出する算出手段と、前記第１の記憶手段に記憶されている前記第１の製品及び前記他の製品の在庫予定数を更新する更新手段として機能させ、前記更新手段は、前記第１の受付手段で受け付けた前記第１の製品の生産予定数、及び、前記算出手段で算出された前記他の製品の生産予定数に従って、前記第１の製品及び前記他の製品の在庫予定数を更新すること、を特徴とする。
【手続補正８】
【補正対象書類名】明細書
【補正対象項目名】００３５
【補正方法】変更
【補正の内容】
【００３５】
本発明の生産計画装置１０５は、販売物流システム受注登録装置１０２で作成された顧客受注データを取り込み、販売予測データ入力装置１０１から販売予測データを読み込み、それぞれ読み込んだデータを生産計画データ（受注データ）として外部メモリ２０９に格納している。この受注データが蓄積されて、日付毎の出荷数（出荷予定数）、生産数（生産予定数）、在庫数（在庫予定数）が求められ、ＰＳＩデータが生成される。ＰＳＩデータ（図示省略）は、製品コード、品質ランクごとに、各日付における受注予定数、生産予定数、在庫予定数を有しており、外部メモリ２０９に格納されているものとする。なお、最初に受注データを取り込んだときは、将来の出荷予定数だけが求まり、その後操作者（生産計画者）により、生産計画が入力されることで、生産予定数、在庫予定数が日付ごとに確定される。